(57)【要約】【課題】簡易な構成で自吸性能を向上させることができる自吸式遠心ポンプを提供する。【解決手段】羽根車と、羽根車を収容するポンプケーシングと、を備える自吸式遠心ポンプであって、ポンプケーシング内に、自吸運転中に羽根車から吐出された流体を液体と気体とに分離するための気液分離室が設けられており、ポンプケーシングは、流体を案内するように気液分離室と羽根車との間に配置される案内部を有しており、案内部は、気液分離室内の液体の旋回流の一部を受け入れるように気液分離室内に開口する入口と、羽根車の外周部に向けて開口する出口と、を含む流路を備えており、入口は、出口に対して、旋回流の上流側の位置に配置されている、自吸式遠心ポンプが提供される。【選択図】図２
2018204566.tif 000002
【特許請求の範囲】
【請求項１】
羽根車と、前記羽根車を収容するポンプケーシングと、を備える自吸式遠心ポンプであって、
前記ポンプケーシング内に、自吸運転中に前記羽根車から吐出された流体を液体と気体とに分離するための気液分離室が設けられており、
前記ポンプケーシングは、流体を案内するように前記気液分離室と前記羽根車との間に配置される案内部を有しており、
前記案内部は、前記気液分離室内の液体の旋回流の一部を受け入れるように前記気液分離室内に開口する入口と、前記羽根車の外周部に向けて開口する出口と、を含む流路を備えており、
前記入口は、前記出口に対して、前記旋回流の上流側の位置に配置されている、自吸式遠心ポンプ。
【請求項２】
前記流路は、前記入口から前記出口に向けて、前記羽根車の軸線に対して傾斜して延びる部分を含む、請求項１に記載の自吸式遠心ポンプ。
【請求項３】
前記案内部が、前記羽根車の前面側に配置される側壁部を含み、前記流路は、前記側壁部に設けられている、請求項１または２に記載の自吸式遠心ポンプ。
【請求項４】
前記側壁部は、前記気液分離室内へ突出する突起部を含み、前記入口は、前記突起部に形成されている、請求項３に記載の自吸式遠心ポンプ。
【請求項５】
前記流路は、全体に直線状である、請求項１〜４のいずれか一項に記載の自吸式遠心ポンプ。
【請求項６】
前記流路は、屈曲部または湾曲部を含む、請求項１〜４のいずれか一項に記載の自吸式遠心ポンプ。
【請求項７】
前記案内部は、前記羽根車の周囲にディフューザ流路を形成するディフューザ部材である、請求項１〜６のいずれか一項に記載の自吸式遠心ポンプ。
【請求項８】
前記案内部は、前記羽根車の周囲にボリュート室を形成するように前記ポンプケーシングの内部を仕切る隔壁である、請求項１〜６のいずれか一項に記載の自吸式遠心ポンプ。
【発明の詳細な説明】
【技術分野】
【０００１】
本発明は、自吸式遠心ポンプに関する。
【背景技術】
【０００２】
遠心ポンプでは、ポンプにより移送される液体は、羽根車が収容されたケーシングの吸込口から取り込まれ、羽根車によって遠心力を与えられて、ケーシングの吐出口から吐出管に送り出される。ケーシング内には、羽根車によって遠心力を与えられた液体を効率良く吐き出すための流路を形成する案内部を設けることができる。案内部は、例えば、羽根車の周囲に略放射状に形成されるディフューザ流路を備えるディフューザ部材、または、羽根車の周囲に渦巻状のボリュート室を形成するようにケーシング内に配置される隔壁等であってよい。
【０００３】
自吸式遠心ポンプは、ケーシングの吸込口に連結された吸込管内の空気を、ポンプの起動と同時に吸い上げて排出する機能を有するポンプである。空気の排出に伴って吸込管内を上昇してくる水で、吸込管内が満たされる。こうして、自吸式遠心ポンプでは、ポンプに自動的に呼び水を差すことによってポンプの通常運転が開始される。
【０００４】
図７は、従来の自吸式遠心ポンプ１の構成例を示す側断面図である。図７を参照すると、自吸式遠心ポンプ１は、羽根車２と、羽根車２を収容するポンプケーシング３と、を備えており、ポンプケーシング３内には、自吸運転中に羽根車２から吐出された流体を液体と気体とに分離するための気液分離室４が設けられている。また、ポンプケーシング３は、流体を案内するように気液分離室４と羽根車２との間に配置される案内部を有している。図示の例では、案内部はディフューザ部材５である。
【０００５】
ポンプ据え付け後の最初の運転時に、図示しない注水口を介してポンプケーシング３の吸込室６内に外部から水が供給される。ポンプの起動時に羽根車２が回転すると、吸込室６内の水が羽根車２に吸い込まれる。羽根車２から吐出された水は、ディフューザ部材５のディフューザ流路５ａを通ってポンプケーシング３内の気液分離室４に移動する。これに伴い、吸込口７に接続された吸込管（図示省略）内の空気が吸い上げられ、羽根車２内で気泡となって水に混入する。気液分離室４では、比重の差によって空気のみが、ポンプケーシング３の吐出口８から吐出配管（図示省略）に排出される。水は、気液分離室４から羽根車２に戻され、ポンプケーシング３内を循環する。
【０００６】
図示される従来例では、気液分離後の水を羽根車２に戻すための流路として、ディフューザ部材５における、羽根車２の出口側近傍の位置に、概ね軸方向（換言すれば、羽根車２の回転軸２ａに平行な方向）に延びる貫通穴９が形成されている。具体的には、ディフューザ部材５が、羽根車２の前面側（換言すれば、吸込室６に近い側）に配置される側壁部５ｃを有しており、貫通穴９は、側壁部５ｃを通って形成されている。尚、図７中、１０はモータ、１１はポンプケーシング３と羽根車２の回転軸２ａとの間に設けられたブラケット、１２は、吸込室６からの流体の逆流を防止する逆止弁を示す。
【０００７】
図８は、自吸作用中の自吸式遠心ポンプ１の内部を示す図であり、ポンプケーシング３内の羽根車２及びディフューザ部材５を羽根車２の前面側から見た図である。矢印Ｆは、気液分離室４内の流体流れを示している。上記したように、自吸作用中、吸込管内の空気は吸込室６に吸い上げられる。吸い上げられた空気は、羽根車２の内周側に集められ、羽根車２内で気泡となって水に混入し、水と共に気液分離室４に吐出される。従って、良好な自吸作用を行うためには、羽根車２の内周側に存在する密度の小さい空気を、羽根車２
の外周部の遠心力が作用している密度の大きい水の流れに乗せて運び出さなければならない。
【０００８】
自吸作用中、回転する羽根車２の出口側とディフューザ部材５との間には、気泡群の層が形成されることが知られている。できるだけ多くの気泡を水と共に羽根車２から吐出することにより、効率良く吸込管内の空気を排出し、ポンプの通常運転が開始されるまでの時間を短縮することができる。図示の従来例では、ディフューザ部材５に設けられた軸方向の貫通穴９を通して、気液分離室４内の水を羽根車２の出口側に戻すようにしている。こうして気液分離室４から戻された水でディフューザ部材５から気泡群が押し出され、自吸作用が促進される。図８では、ディフューザ部材５の側壁部５ｃは省略され、貫通穴９の位置のみが示されている。また、矢印Ｒは、羽根車２の回転軸２ａの回転方向を示している。自吸作用中、気液分離室４の水はポンプケーシング３から排出されることなく、回転軸２ａ周りの旋回流を形成してポンプケーシング３内を循環している。旋回流の流れ方向Ｆは、回転軸２ａの回転方向Ｒと同じである。
【０００９】
貫通穴９のような戻り流路の形成が、例えば、特許文献１に記載されている。
【先行技術文献】
【特許文献】
【００１０】
【特許文献１】実開昭５２−３８６０１号
【発明の概要】
【発明が解決しようとする課題】
【００１１】
本発明の一実施形態は、簡易な構成で自吸性能を向上させることができる自吸式遠心ポンプを提供することを目的とする。
【課題を解決するための手段】
【００１２】
本発明の一実施形態によれば、羽根車と、羽根車を収容するポンプケーシングと、を備える自吸式遠心ポンプであって、ポンプケーシング内に、自吸運転中に羽根車から吐出された流体を液体と気体とに分離するための気液分離室が設けられており、ポンプケーシングは、流体を案内するように気液分離室と羽根車との間に配置される案内部を有しており、案内部は、気液分離室内の液体の旋回流の一部を受け入れるように気液分離室内に開口する入口と、羽根車の外周部に向けて開口する出口と、を含む流路を備えており、入口は、出口に対して、旋回流の上流側の位置に配置されている、自吸式遠心ポンプが提供される。
【図面の簡単な説明】
【００１３】
【図１】本発明の第１実施形態による自吸式遠心ポンプの一例を示す部分側断面図である。
【図２】第１実施形態の自吸式遠心ポンプにおける、自吸作用中のポンプの内部を示す図である。
【図２Ａ】流路の入口と出口の配置を説明するための図である。
【図３】本発明の第２実施形態による自吸式遠心ポンプの一例を示す側断面図である。
【図４】第２実施形態の自吸式遠心ポンプにおける、自吸作用中のポンプの内部を示す図である。
【図５】本発明の第３実施形態による自吸式遠心ポンプの一例を示す、図２に対応する図である。
【図５Ａ】第３実施形態の自吸式遠心ポンプの実験結果を示す図である。
【図６Ａ】図１に示す流路形成部の構成例を示す図である。
【図６Ｂ】流路形成部の他の構成例を示す図である。
【図６Ｃ】流路形成部の他の構成例を示す図である。
【図６Ｄ】流路形成部の他の構成例を示す図である。
【図７】従来の自吸式遠心ポンプの構成例を示す側断面図である。
【図８】自吸作用中のポンプ内部を示す図である。
【発明を実施するための形態】
【００１４】
以下、本発明の実施形態を添付図面とともに説明する。添付図面において、同一または類似の要素には同一または類似の参照符号が付され、各実施形態の説明において同一または類似の要素に関する重複する説明は省略することがある。また、各実施形態で示される特徴は、互いに矛盾しない限り他の実施形態にも適用可能である。
【００１５】
［第１実施形態］
図１は、本発明の第１実施形態による自吸式遠心ポンプ１の一例を示す部分側断面図である。第１実施形態の自吸式遠心ポンプ１は、図７に示す従来の自吸式遠心ポンプ１と同様に、羽根車２と、羽根車２を収容するポンプケーシング３と、を備えており、ポンプケーシング３内には、自吸運転中に羽根車２から吐出された流体を液体と気体とに分離するための気液分離室４が設けられている。また、ポンプケーシング３は、流体を案内するように気液分離室４と羽根車２との間に配置される案内部としてのディフューザ部材５を備えている。第１実施形態では、案内部に設けられる、気液分離室４内の液体を羽根車２の出口付近に戻すための流路の構成に特徴がある。従って、図１には当該流路の周辺構成のみを図示し、上記従来技術と共通する部分については詳しい説明を省略する。
【００１６】
第１実施形態では、ディフューザ部材５は、羽根車２の前面側（換言すれば、吸込室６に近い側）に配置される側壁部５ｃを備えており、側壁部５ｃに、気液分離室４内の液体を羽根車２の出口付近に戻すための流路（換言すれば、戻り流路）を画定する流路形成部１９が設けられている。流路形成部１９は、流路の入口を画定する入口開口１９ａ（図１では符号省略）と流路の出口を画定する出口開口１９ｂとを有している。入口開口１９ａは、気液分離室４内に開口している。また、出口開口１９ｂは、図１に示されるように、羽根車２の外周部に面する位置で開口している。これにより、気液分離室４からの液体の流れを羽根車２の出口付近に流出させることができる。羽根車２の出口付近に流出した液体の一部は、羽根車２の内部に流入して羽根車２の外周部に圧力のアンバランス状態を生じさせることができる。こうして、羽根車２の外周部で停滞する気泡群を、効率的にディフューザ流路５ａを通して押し出すことができる。
【００１７】
図２は、自吸作用中における、図１の自吸式遠心ポンプ１の内部を示す図であり、ポンプケーシング３内の羽根車２及びディフューザ部材５を羽根車２の前面側から見た図である。自吸作用中、ディフューザ部材５から吐出された液体は、ポンプケーシング３から吐出されることなくポンプケーシング３内を循環する。図２の矢印Ｆで示されるように、この循環流は、羽根車２の回転方向Ｒと同じ方向に流れる強い旋回流を形成している。第１実施形態によれば、この旋回流を利用して、自吸式遠心ポンプ１の自吸作用を促進することができる。
【００１８】
図６Ａは、図１および図２に示すディフューザ部材５の部分断面図であり、図１または図２の上部（換言すれば、ポンプケーシング３の吐出口８側）からディフューザ部材５を見たときの流路形成部１９の構成を示す部分断面図である。図６Ａの左側に図示しない気液分離室４が配置され、図６Ａの右側に図示しない羽根車２が配置されている。流路形成部１９は、入口開口１９ａと出口開口１９ｂとを互いに連通させる流路１９ｄを画定する。気液分離室４内で流路形成部１９を通過する旋回流の方向が矢印Ｆで示されている。尚、旋回流の流れる方向Ｆは、羽根車２の回転方向Ｒと同じ方向である。第１実施形態では、例えば図６Ａに示すように、流路形成部１９の入口開口１９ａ（すなわち、流路１９ｄ
の入口）は、出口開口１９ｂ（すなわち、流路１９ｄの出口）に対して、流路形成部１９を通過する旋回流の上流側の位置に配置されている。
【００１９】
尚、本実施形態では、「旋回流の上流側の位置」の意味を、羽根車２の回転方向における角度を用いて定義する。一例として、図２Ａに示すような、羽根車２の回転中心を原点とする座標系を考える。図２Ａは、自吸作用中における、ポンプケーシング３内の羽根車２及びディフューザ部材５を羽根車２の前面側から羽根車２の軸線方向に沿って見た、図２と同様の図である。
【００２０】
この座標系におけるＹ軸上の一点鎖線を反時計回り（すなわち、羽根車２の回転方向Ｒ）に角度αだけ回転させた位置と、角度βだけ回転させた位置とをそれぞれ、一点鎖線Ｐα、Ｐβで示す。角度βは角度αより大きい角度である（ただし、０°＜α＜３６０°、０°＜β＜３６０°）。このようなβ−α＞０の関係を有する角度位置Ｐα、ＰβがあるときのＰαの位置が、Ｐβに対して旋回流の上流側の位置である。尚、図２Ａの例では、羽根車２の軸線方向に沿って見た流路の入口と出口の位置は、羽根車２の周方向で完全に離間した位置にある（図６Ａを参照）。しかし、流路の具体的な形状によっては、入口と出口は、周方向で部分的に重なるような位置に配置されていてもよい。換言すれば、羽根車２の軸線方向に沿って平面的に見たとき、入口の開口範囲と出口の開口範囲が部分的にオーバーラップしていてもよい。
【００２１】
さらに、入口開口１９ａの向きは、旋回流の一部を、羽根車２の軸線に対して平行でない向き（換言すれば、非平行な向き）で受け入れるように定められている。羽根車２の軸線方向を示すため、図６Ａでは、羽根車２の軸線に平行な線を点線Ａ−Ａで示している。具体的には、図６Ａに示すように、流路１９ｄは、その入口から出口に向けて、羽根車２の軸線に対して傾斜して延びる部分（例えば、図６Ａに示す部分１９ｃ）を含むことができる。尚、ここで「羽根車２の軸線に対して傾斜」とは、軸線方向Ａ−Ａに対して平行でないことを意味し、図６Ａに示すような、軸線方向Ａ−Ａに対して実質的に垂直な向きである場合も含む。
【００２２】
このように、本実施形態では、流路形成部１９の流路１９ｄは、気液分離室４内に開口する入口が、羽根車２の外周部に向けて開口する出口に対して、旋回流Ｆの上流側の位置に配置されており、且つ、入口から出口に向けて、羽根車２の軸線に対して傾斜して延びる部分を含んでいる。これにより、旋回流Ｆの一部は、その流れの強さを大きく損なうことなく、流路形成部１９の流路１９ｄに流入する。
【００２３】
また、図６Ａの例では、ディフューザ部材５の側壁部５ｃが、気液分離室４内へ突出する突起部５ｂを含み、入口開口１９ａは、突起部５ｂに形成されている。突起部５ｂは、側壁部５ｃに溶接等により接続されるエルボ管等の外付けの部材であってよく、または、側壁部５ｃと一体的に成形または鋳造されてもよい。
【００２４】
図７及び図８に示す従来例のような、全体に軸線方向に延びる貫通穴９と比較して、第１実施形態の流路形成部１９の流路１９ｄは、気液分離室４を流れる旋回流を容易に受け入れることができる。図６Ａに示すように、入口開口１９ａから流路形成部１９の流路１９に入った旋回流は、その流れの強さを大きく損なうことなく、羽根車２の出口付近に供給される。こうして、旋回流の強い流れによって、気泡群を効率的にディフューザ部材５から気液分離室４に押し出すことができる。従って、自吸式遠心ポンプ１の自吸作用を促進することができる。
【００２５】
［第２実施形態］
図３は、本発明の第２実施形態による自吸式遠心ポンプ１０１の一例を示す側断面図で
ある。図４は、自吸作用中の自吸式遠心ポンプ１０１の内部を示す、図２に対応する図である。尚、図３は、図４のＢ−Ｂ断面図である。第２実施形態の自吸式遠心ポンプ１０１は、ポンプケーシング１０３内に渦巻状の通液路（換言すれば、ボリュート室）１０３ａが形成されたボリュートタイプである。一例として、図示される自吸式遠心ポンプ１０１は、２つのボリュート室１０３ａを有するダブルボリュートタイプである。具体的には、図３の自吸式遠心ポンプ１０１は、羽根車１０２と、羽根車１０２を収容するポンプケーシング１０３と、を備えており、ポンプケーシング１０３内には、自吸運転中に羽根車１０２から吐出された流体を液体と気体とに分離するための気液分離室１０４が設けられている。また、ポンプケーシング１０３の内部は、羽根車１０２の周囲にボリュート室１０３ａを形成するように隔壁（換言すれば、ボリュート壁）１０３ｂによって仕切られている。第２実施形態では、隔壁１０３ｂが、流体を案内する案内部を形成している。
【００２６】
第２実施形態では、隔壁１０３ｂが、羽根車２の前面側に配置される側壁部１０３ｃを備えており、側壁部１０３ｃに、気液分離室１０４内の液体を羽根車１０２の出口付近に戻すための流路を画定する流路形成部１１９が設けられている。流路形成部１１９は、流路の入口を画定する入口開口１１９ａ（図３では符号省略）と流路の出口を画定する出口開口１１９ｂとを有する。入口開口１１９ａは、気液分離室１０４内に開口している。また、図３に示されるように、出口開口１１９ｂは、羽根車１０２の外周部に面する位置で開口している。
【００２７】
ポンプ据え付け後の最初の運転時に、図示しない注水口を介してポンプケーシング１０３の吸込室１０６内に外部から水が供給される。ポンプの起動時に羽根車１０２が回転すると、吸込室１０６内の水が羽根車１０２に吸い込まれる。羽根車１０２から吐出された水は、ボリュート室１０３ａを通ってポンプケーシング１０３内の気液分離室１０４に移動する。これに伴い、吸込口１０７に接続された吸込管（図示省略）内の空気が吸い上げられ、羽根車１０２内で気泡となって水に混入する。気液分離室１０４では、比重の差によって空気のみがポンプケーシング１０３の吐出口１０８から吐出配管（図示省略）に排出され、水は気液分離室１０４から、流路形成部１１９を通って羽根車１０２の出口付近に戻される。尚、図３中、１１０は軸受胴体、１０２ａは、羽根車１０２の回転軸、１１２は、吸込室１０６からの流体の逆流を防止する逆止弁を示す。
【００２８】
羽根車１０２の外周部に面する位置で開口する出口開口１１９ｂを通して、気液分離室１０４からの液体の流れを羽根車１０２の出口付近に流出させることができる。羽根車１０２の出口付近に流出した液体の一部は、羽根車１０２の内部に流入して羽根車１０２の外周部に圧力のアンバランス状態を生じさせることができる。こうして、羽根車１０２の外周部で停滞する気泡群を、効率的にボリュート室１０３ａから押し出すことができる。
【００２９】
図４に示すように、自吸作用中、ボリュート室１０３ａから吐出された液体は、ポンプケーシング１０３から吐出されることなくポンプケーシング１０３内を循環する。図４の矢印Ｆで示されるように、この循環流は、羽根車１０２の回転方向と同じ方向に流れる強い旋回流を形成している。第２実施形態によれば、第１実施形態と同様に、この旋回流を利用して、自吸式遠心ポンプ１０１の自吸作用を促進することができる。流路形成部１１９の構成は、第１実施形態に関して図６Ａに示す流路形成部１９の構成と実質的に同様である。
【００３０】
［第３実施形態］
図５は、第３実施形態による自吸式遠心ポンプ２０１を示す、図２に対応する図である。第３実施形態の自吸式遠心ポンプ２０１は、ポンプケーシング２０３内にバッフル２０３ａを備える点を除いて、第１実施形態の自吸式遠心ポンプ１と実質的に同様である。過度な旋回流の発生を抑制するように図５に示すようなバッフル２０３ａが設けられる場合
がある。バッフル２０３ａが設けられる場合、流路形成部の出口開口２１９ｂは、バッフル２０３ａの位置より羽根車２０２の回転方向Ｒに所定の角度γだけ離れていることが望ましい。流路形成部の入口開口は、出口開口２１９ｂから角度的に大きく離れていないことが望ましい。第３実施形態では、流路形成部の出口開口のみ符号２１９ｂを付してその位置を示している。
【００３１】
図５Ａは、角度γを定めるための実験結果を示す。各パラメータを、吸上げ高さを５ｍ、戻り流路の出口面積を１７６ｍｍ２、流速Ｕ２を３０ｍ／ｓｅｃ、２５ｍ／ｓｅｃとして、自吸速度を縦軸に、角度γを横軸にとって、図示のような曲線が得られた。尚、縦軸は、各角度γにおける自吸速度の大きさを比で示している。ここでは、角度γが−６０度の場合の自吸速度の比を１としている。実験結果から、所定の角度γは、１０度〜２２０度であることが自吸速度の観点から好ましいことが分かる。
【００３２】
第３実施形態によれば、バッフル２０３ａが設けられた自吸式遠心ポンプ１においても、第１および第２実施形態と同様の流路形成部を形成することができる。尚、案内部として、第３実施形態のディフューザ部材５に代えて、第２実施形態のボリュート室１０３ａを形成する隔壁１０３ｂが設けられていてもよい。
【００３３】
［変形例］
上記実施形態では、戻り流路を形成する流路形成部の具体例として、図６Ａに示す構成の流路形成部１９を説明したが、流路形成部１９の構成は、図６Ａに示すものに限られない。流路形成部１９の流路１９ｄは、気液分離室４内に開口する入口が、羽根車２の外周部に向けて開口する出口に対して、旋回流Ｆの上流側の位置に配置されており、且つ、入口から出口に向けて、羽根車２の軸線に対して傾斜して延びる部分を含んでいればよい。図６Ｂでは、流路形成部１９の流路１９ｄは全体に直線状であり、その入口は、ディフューザ部材５の側壁部５ｃの実質的に平坦な表面で開口している。図６Ｃでは、図６Ｂと同様に、流路形成部１９の流路１９ｄは全体に直線状であるが、ディフューザ部材５の側壁部５ｃが気液分離室４内へ突出する突起部（換言すれば、隆起部）５ｂを含み、流路１９ｄの入口が突起部５ｂに形成されている。また、図６Ｄでは、図６Ａと同様に、流路形成部１９の流路１９ｄは屈曲部または湾曲部を含む。ディフューザ部材５の側壁部５ｃは、気液分離室４内へ突出する突起部（換言すれば、隆起部）５ｂを含み、流路１９ｄの入口が突起部５ｂに形成されている。
【００３４】
図６Ａ乃至図６Ｄの例では、流路形成部１９の流路断面積が一定である。しかし、流路形成部１９は、例えば、ベルマウス形状、円錐形状等、流路断面積が変化するように構成されていてもよい。
【００３５】
尚、本発明のいずれの実施形態においても、流路形成部の数は特に限られないが、案内部としてディフューザ部材５が設けられる場合には、ディフューザ流路５ａの数と同じ数にすることが好ましい。
【００３６】
尚、本発明のいずれの実施形態においても、羽根車の形態は特に限られない。クローズド形、オープン形、セミオープン形等、種々の形態の羽根車を使用することができる。また、案内部の形態も特に限られない。
【００３７】
以上、いくつかの例に基づいて本発明の実施形態について説明してきたが、上記した発明の実施形態は、本発明の理解を容易にするためのものであり、本発明を限定するものではない。本発明は、その趣旨を逸脱することなく、変更、改良され得るとともに、本発明には、その均等物が含まれることはもちろんである。また、上述した課題の少なくとも一部を解決できる範囲、または、効果の少なくとも一部を奏する範囲において、特許請求の
範囲および明細書に記載された各構成要素の任意の組み合わせ、または、省略が可能である。
【００３８】
本発明は、以下の実施形態を含む。
１．羽根車と、羽根車を収容するポンプケーシングと、を備える自吸式遠心ポンプであって、
ポンプケーシング内に、自吸運転中に羽根車から吐出された流体を液体と気体とに分離するための気液分離室が設けられており、
ポンプケーシングは、流体を案内するように気液分離室と羽根車との間に配置される案内部を有しており、
案内部は、気液分離室内の液体の旋回流の一部を受け入れるように気液分離室内に開口する入口と、羽根車の外周部に向けて開口する出口と、を含む流路を備えており、入口は、出口に対して、旋回流の上流側の位置に配置されている、自吸式遠心ポンプ。
２．流路は、入口から出口に向けて、羽根車の軸線に対して傾斜して延びる部分を含む、上記１．に記載の自吸式遠心ポンプ。
３．案内部が、羽根車の前面側に配置される側壁部を含み、流路は、側壁部に設けられている、上記１．または２．に記載の自吸式遠心ポンプ。
４．側壁部は、気液分離室内へ突出する突起部を含み、入口は、突起部に形成されている、上記３．に記載の自吸式遠心ポンプ。
５．流路は、全体に直線状である、上記１．〜４．のいずれかに記載の自吸式遠心ポンプ。
６．流路は、屈曲部または湾曲部を含む、上記１．〜４．のいずれかに記載の自吸式遠心ポンプ。
７．案内部は、羽根車の周囲にディフューザ流路を形成するディフューザ部材である、上記１．〜６．のいずれかに記載の自吸式遠心ポンプ。
８．案内部は、羽根車の周囲にボリュート室を形成するようにポンプケーシングの内部を仕切る隔壁である、上記１．〜６．のいずれかに記載の自吸式遠心ポンプ。
【産業上の利用可能性】
【００３９】
本発明は、自吸式遠心ポンプに広く適用することができる。
【符号の説明】
【００４０】
Ａ−Ａ  羽根車の軸線に平行な線
Ｆ  旋回流
Ｒ  羽根車の回転方向
１、１０１、２０１  自吸式遠心ポンプ
２、１０２、２０２  羽根車
２ａ、１０２ａ、２０２ａ  回転軸
３、１０３、２０３  ケーシング
２０３ａ  バッフル
４、１０４  気液分離室
５、２０５  ディフューザ部材
５ａ  ディフューザ流路
５ｂ  突起部
５ｃ、１０３ｃ  側壁部
６、１０６  吸込室
７、１０７  吸込口
８、１０８  吐出口
９  貫通穴
１０  モータ
１１  ブラケット
１２、１１２  逆止弁
１９、１１９  流路形成部
１９ａ、１１９ａ  入口開口
１９ｂ、１１９ｂ、２１９ｂ  出口開口
１９ｃ  傾斜部分
１９ｄ  流路
１０３ａ  ボリュート室
１０３ｂ  隔壁
１１０  軸受胴体
【図１】
2018204566.tif 000003
【図２】
2018204566.tif 000004
【図２Ａ】
2018204566.tif 000005
【図３】
2018204566.tif 000006
【図４】
2018204566.tif 000007
【図５】
2018204566.tif 000008
【図５Ａ】
2018204566.tif 000009
【図６Ａ】
2018204566.tif 000010
【図６Ｂ】
2018204566.tif 000011
【図６Ｃ】
2018204566.tif 000012
【図６Ｄ】
2018204566.tif 000013
【図７】
2018204566.tif 000014
【図８】
2018204566.tif 000015